(57)【要約】【課題】画像形成装置が表示させ得る複数の画面を多角的に把握したうえで、各画面をカスタマイズ可能な情報処理端末のプログラムを提供する。【解決手段】端末プログラムは、画面指示データに従ってカスタマイズ画面を表示させる表示処理（Ｓ１３）と、ツリー領域に対する編集操作に従ってアイコン画面及び動作アイコンの並び順を編集する第１編集処理（Ｓ１８）と、プレビュー領域に対する編集操作に従って特定画面のレイアウトを編集する第２編集処理（Ｓ１９）と、詳細領域に対する編集操作に従って特定アイコンに関連付けられた情報を編集する第３編集処理（Ｓ２０）と、編集した画面指示データを画像形成装置に出力する出力処理（Ｓ２１）とを情報処理端末に実行させる。【選択図】図３
2018077692.tif 000002
【特許請求の範囲】
【請求項１】
メモリと、端末ディスプレイと、入力インタフェースとを備える情報処理端末によって実行可能なプログラムであって、
前記メモリは、画像形成装置の装置ディスプレイに表示させる複数のアイコン画面を示す画面指示データを記憶しており、前記画面指示データは、前記アイコン画面に表示させる動作アイコンと、前記動作アイコンが特定された時に前記画像形成装置に実行させる動作とを示し、
該プログラムは、前記画面指示データに従って前記端末ディスプレイにカスタマイズ画面を表示させる表示処理を前記情報処理端末に実行させ、
前記カスタマイズ画面は、
複数の前記アイコン画面の並び順、及び複数の前記アイコン画面それぞれに表示される前記動作アイコンの並び順が一覧表示される第１領域と、
複数の前記アイコン画面の１つである特定画面に含まれる前記動作アイコンが、前記画面指示データで示されるレイアウトで表示される第２領域と、
前記第２領域に表示された前記動作アイコンの１つである特定アイコンに関連付けられた情報が表示される第３領域とを含み、
該プログラムは、
前記カスタマイズ画面に表示された情報の編集を指示する編集操作を、前記入力インタフェースを通じて受け付ける受付処理と、
前記第１領域に対する前記編集操作に従って、前記画面指示データで示される前記アイコン画面及び前記動作アイコンの並び順を編集する第１編集処理と、
前記第２領域に対する前記編集操作に従って、前記画面指示データで示される前記特定画面のレイアウトを編集する第２編集処理と、
前記第３領域に対する前記編集操作に従って、前記画面指示データで示される前記特定アイコンに関連付けられた情報を編集する第３編集処理と、
前記第１編集処理、前記第２編集処理、及び前記第３編集処理の少なくとも１つで編集した前記画面指示データを、前記画像形成装置に出力する出力処理とを前記情報処理端末に実行させるプログラム。
【請求項２】
前記第１領域には、複数の前記アイコン画面それぞれについて、
当該アイコン画面に対応する画面情報と、
当該アイコン画面に含まれる前記動作アイコンに対応するアイコン情報とが対応付けられて一覧表示されており、
該プログラムは、
前記第１領域に対する前記受付処理において、前記画面情報の移動を指示する前記編集操作を受け付け、
前記第１編集処理において、前記画面指示データで示される複数の前記アイコン画面を、前記編集操作で並び替えられた複数の前記画面情報の並び順に並び替える請求項１に記載のプログラム。
【請求項３】
該プログラムは、
前記第１領域に対する前記受付処理において、前記画面情報との対応関係が変更されない範囲で前記アイコン情報の移動を指示する前記編集操作を受け付け、
前記第１編集処理において、当該画面情報に対応する前記アイコン画面に表示された複数の前記動作アイコンを、前記編集操作で並び替えられた複数の前記アイコン情報の並び順に並び替える請求項２に記載のプログラム。
【請求項４】
該プログラムは、
前記第１領域に対する前記受付処理において、第１画面情報に対応付けられた前記アイコン情報を第２画面情報に対応付ける前記編集操作を前記受付処理で受け付け、
前記第１編集処理において、前記アイコン情報で示される前記動作アイコンを、前記第１画面情報に対応する前記アイコン画面から削除し、前記第２画面情報に対応する前記アイコン画面に追加する請求項２又は３に記載のプログラム。
【請求項５】
該プログラムは、
前記第１領域に表示された複数の前記画面情報の１つを特定する特定操作を前記受付処理で受け付けたことに応じて、特定された前記画面情報に対応する前記アイコン画面を前記特定画面として、前記表示処理を前記情報処理端末に実行させ、
前記第１領域に表示された複数の前記アイコン情報の１つを特定する特定操作を前記受付処理で受け付けたことに応じて、特定された前記アイコン情報に対応する前記動作アイコンを前記特定アイコンとし、当該特定アイコンを含む前記アイコン画面を前記特定画面として、前記表示処理を前記情報処理端末に実行させる請求項２から４のいずれかに記載のプログラム。
【請求項６】
該プログラムは、
前記第２領域に対する前記受付処理において、前記特定画面への前記動作アイコンの追加、前記特定画面からの前記動作アイコンの削除、前記特定画面に表示された前記動作アイコンの図柄の変更、或いは前記特定画面に表示された複数の前記動作アイコンの並び替えを指示する前記編集操作を受け付け、
前記第２編集処理において、前記受付処理で受け付けた前記編集操作に従って、前記画面指示データを編集する請求項１から５のいずれかに記載のプログラム。
【請求項７】
該プログラムは、前記第２領域に表示された複数の前記動作アイコンの１つを特定する特定操作を前記受付処理で受け付けたことに応じて、特定された前記動作アイコンを前記特定アイコンとして、前記表示処理を前記情報処理端末に実行させる請求項１から６のいずれかに記載のプログラム。
【請求項８】
該プログラムは、
前記第３領域に対する前記受付処理において、前記アイコン画面上で前記特定アイコンに対応付けて表示される文字列の変更、前記特定アイコンに対応付けられた動作の変更、前記特定アイコンの図柄の変更を指示する前記編集操作を受け付け、
前記第３編集処理において、前記受付処理で受け付けた前記編集操作に従って、前記画面指示データを編集する請求項１から７のいずれかに記載のプログラム。
【請求項９】
メモリ、端末ディスプレイ、第１入力インタフェース、第１通信インタフェース、及び第１コントローラを備える情報処理端末と、装置ディスプレイ、第２入力インタフェース、第２通信インタフェース、及び第２コントローラを備える画像形成装置とを備える情報処理システムであって、
前記メモリは、前記装置ディスプレイに表示させる複数のアイコン画面を示す画面指示データを記憶しており、前記画面指示データは、前記アイコン画面に表示させる動作アイコンと、前記動作アイコンが特定された時に前記画像形成装置に実行させる動作とを示し、
前記第１コントローラは、前記画面指示データに従って前記端末ディスプレイにカスタマイズ画面を表示させる第１表示処理を実行し、
前記カスタマイズ画面は、
複数の前記アイコン画面の並び順、及び複数の前記アイコン画面それぞれに表示される前記動作アイコンの並び順が一覧表示される第１領域と、
複数の前記アイコン画面の１つである特定画面に含まれる前記動作アイコンが、前記画面指示データで示されるレイアウトで表示される第２領域と、
前記第２領域に表示された前記動作アイコンの１つである特定アイコンに関連付けられた情報が表示される第３領域とを含み、
前記第１コントローラは、
前記カスタマイズ画面に表示された情報の編集を指示する編集操作を、前記第１入力インタフェースを通じて受け付ける第１受付処理と、
前記第１領域に対する前記編集操作に従って、前記画面指示データで示される前記アイコン画面及び前記動作アイコンの並び順を編集する第１編集処理と、
前記第２領域に対する前記編集操作に従って、前記画面指示データで示される前記特定画面のレイアウトを編集する第２編集処理と、
前記第３領域に対する前記編集操作に従って、前記画面指示データで示される前記特定アイコンに関連付けられた情報を編集する第３編集処理と、
前記第１編集処理、前記第２編集処理、及び前記第３編集処理の少なくとも１つで編集した前記画面指示データを、前記第１通信インタフェースを通じて前記画像形成装置に送信する送信処理とを実行し、
前記第２コントローラは、
前記第２通信インタフェースを通じて前記情報処理端末から前記画面指示データを受信する受信処理と、
前記画面指示データで示される前記アイコン画面を、前記装置ディスプレイに表示させる第２表示処理と、
前記装置ディスプレイに表示された前記動作アイコンを特定するユーザ操作を、前記第２入力インタフェースを通じて受け付ける第２受付処理と、
前記第２受付処理で特定された前記動作アイコンに対応付けられた前記動作を実行する実行処理と、を実行する情報処理システム。
【発明の詳細な説明】
【技術分野】
【０００１】
本発明は、画像形成装置が表示する画面をカスタマイズする情報処理端末のプログラムに関する。
【背景技術】
【０００２】
例えば特許文献１には、プリンタ等の画像形成装置のディスプレイに表示される画面をカスタマイズする情報処理端末のプログラムが開示されている。より詳細には、当該プログラムは、予め用意されたＵＩ部品をドラッグ＆ドロップすることによって、当該ＵＩ部品を画面に追加することができる。
【先行技術文献】
【特許文献】
【０００３】
【特許文献１】特開２０１１−１５４４７４号公報
【発明の概要】
【発明が解決しようとする課題】
【０００４】
近年、画像形成装置に実装される機能が増加するのに伴って、当該画像形成装置に表示される画面数も増加する傾向にある。しかしながら、特許文献１に記載のプログラムは、画像形成装置が表示させ得る複数の画面のうちの１つをディスプレイに表示させ、当該画面をカスタマイズする処理を受け付けることができるに留まる。換言すれば、特許文献１に記載のプログラムでは、画像形成装置が表示させ得る複数の画面を、ユーザが多角的に把握することが難しいという課題を生じる。
【０００５】
本発明は、上記の事情に鑑みてなされたものであり、その目的は、画像形成装置が表示させ得る複数の画面を多角的に把握したうえで、各画面をカスタマイズ可能な情報処理端末のプログラム及び情報処理システムを提供することにある。
【課題を解決するための手段】
【０００６】
本明細書では様々な開示を行う。開示例の１つであるプログラムは、メモリと、端末ディスプレイと、入力インタフェースとを備える情報処理端末によって実行可能である。前記メモリは、画像形成装置の装置ディスプレイに表示させる複数のアイコン画面を示す画面指示データを記憶している。前記画面指示データは、前記アイコン画面に表示させる動作アイコンと、前記動作アイコンが特定された時に前記画像形成装置に実行させる動作とを示す。該プログラムは、前記画面指示データに従って前記端末ディスプレイにカスタマイズ画面を表示させる表示処理を前記情報処理端末に実行させる。前記カスタマイズ画面は、複数の前記アイコン画面の並び順、及び複数の前記アイコン画面それぞれに表示される前記動作アイコンの並び順が一覧表示される第１領域と、複数の前記アイコン画面の１つである特定画面に含まれる前記動作アイコンが、前記画面指示データで示されるレイアウトで表示される第２領域と、前記第２領域に表示された前記動作アイコンの１つである特定アイコンに関連付けられた情報が表示される第３領域とを含む。該プログラムは、前記カスタマイズ画面に表示された情報の編集を指示する編集操作を、前記入力インタフェースを通じて受け付ける受付処理と、前記第１領域に対する前記編集操作に従って、前記画面指示データで示される前記アイコン画面及び前記動作アイコンの並び順を編集する第１編集処理と、前記第２領域に対する前記編集操作に従って、前記画面指示データで示される前記特定画面のレイアウトを編集する第２編集処理と、前記第３領域に対する前記編集操作に従って、前記画面指示データで示される前記特定アイコンに関連付けられた情報を編集する第３編集処理と、前記第１編集処理、前記第２編集処理、及び前記第３編集処理の少なくとも１つで編集した前記画面指示データを、前記画像形成装置に出力する出力処理とを前記情報処理端末に実行させる。
【０００７】
上記構成によれば、アイコン画面及び動作アイコンの並び順、特定画面のレイアウト、特定アイコンに関連付けられた情報を、カスタマイズ画面を通じて一度に表示することができる。また、各領域に対する編集操作に従って画面指示データが適切に編集される。すなわち、ユーザは、画像形成装置が表示させ得る複数のアイコン画面を多角的に把握したうえで、各画面をカスタマイズすることができる。
【図面の簡単な説明】
【０００８】
【図１】図１は、本実施形態に係る情報処理システム１００を構成するＭＦＰ１０及び情報処理端末５０のブロック図である。
【図２】図２は、メモリ６２に記憶された画面指示データの例であって、（Ａ）はページリストを、（Ｂ）はアイコンリストを示す。
【図３】図３は、メイン処理のフローチャートである。
【図４】図４は、画面生成処理のフローチャートである。
【図５】図５は、ツリー領域編集処理のフローチャートである。
【図６】図６は、プレビュー領域編集処理のフローチャートである。
【図７】図７は、詳細領域編集処理のフローチャートである。
【図８】図８は、一覧画面１２０及びカスタマイズ画面１３０がディスプレイ５３に同時に表示された状態を示す図である。
【図９】図９は、アイコンテキスト“スキャンＰＣ”が左クリックされた後のカスタマイズ画面１３０の表示例である。
【図１０】図１０は、ページテキストが並び替えられた後のカスタマイズ画面１３０の表示例である。
【図１１】図１１は、ページテキスト“スキャン１”に対応するアイコンテキストが並び替えられた後のカスタマイズ画面１３０の表示例である。
【図１２】図１２は、アイコンテキスト“スキャンＦＴＰ”がページテキスト“スキャン２”に対応する位置から、ページテキスト“スキャン１”に対応する位置に移動された後のカスタマイズ画面１３０の表示例である。
【図１３】図１３は、アイコン画面の表示例であって、（Ａ）はページＩＤ“ページ０１”に対応するページを、（Ｂ）はページＩＤ“ページ０２”に対応するページを示す。
【発明を実施するための形態】
【０００９】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。例えば、後述する各処理の実行順序は、本発明の要旨を変更しない範囲で、適宜変更することができる。
【００１０】
図１は、本実施形態に係る情報処理システム１００の概略図である。図１に示される情報処理システム１００は、ＭＦＰ（Multi-Function Peripheralの略）１０と、情報処理端末５０とで構成されている。ＭＦＰ１０及び情報処理端末５０は、通信ネットワーク１０１を通じて相互に通信可能に構成されている。通信ネットワーク１０１の具体例は特に限定されないが、例えば、インターネット、有線ＬＡＮ、無線ＬＡＮ、或いはこれらの組み合わせであってもよい。または、ＭＦＰ１０及び情報処理端末５０は、ＵＳＢケーブル等によって接続されていてもよい。
【００１１】
ＭＦＰ１０は、図１に示されるように、プリンタ１１と、スキャナ１２と、ＦＡＸ部１３と、ディスプレイ２３と、入力Ｉ／Ｆ２４と、通信Ｉ／Ｆ２５と、ＣＰＵ３１と、メモリ３２と、通信バス３３とを主に備える。ＭＦＰ１０を構成する各構成要素は、通信バス３３を通じて相互に接続されている。ＭＦＰ１０は、画像形成装置の一例である。
【００１２】
ディスプレイ２３には、液晶ディスプレイ、有機ＥＬディスプレイ等があり、各種情報を表示する表示画面を備える。ディスプレイ２３は、装置ディスプレイの一例である。
【００１３】
入力Ｉ／Ｆ２４は、ユーザによる入力操作を受け付けるユーザインタフェースである。具体的には、入力Ｉ／Ｆ２４はボタンを有しており、押下されたボタンに対応づけられた各種の操作信号をＣＰＵ３１へ出力する。さらに、入力Ｉ／Ｆ２４は、ディスプレイ２３の表示画面に重畳された膜状のタッチセンサを有していてもよい。ディスプレイ２３の表示画面に表示されたオブジェクトを特定する操作、文字列或いは数字列を入力する操作は、ユーザ操作の一例である。「オブジェクト」とは、例えば、ディスプレイ２３に表示された文字列、アイコン、ボタン、リンク、ラジオボタン、チェックボックス、プルダウンメニュー等である。入力Ｉ／Ｆ２４は、第２入力インタフェースの一例である。
【００１４】
タッチセンサとして実現される入力Ｉ／Ｆ２４は、ユーザがタッチした表示画面上の位置を示す位置情報を出力する。なお、本明細書中における「タッチ」とは、入力媒体を表示画面に接触させる操作全般を含む。また、入力媒体が表示画面に触れていなくても、表示画面との間の距離がごく僅かな位置まで入力媒体を近接させる「ホバー」或いは「フローティングタッチ」を、前述の「タッチ」の概念に含めてもよい。さらに入力媒体とは、ユーザの指であってもよいし、タッチペン等であってもよい。ディスプレイ２３に表示されたオブジェクトの位置をタップするユーザ操作は、当該オブジェクトを特定するユーザ操作の一例である。
【００１５】
通信Ｉ／Ｆ２５は、通信ネットワーク１０１を通じて外部装置と通信可能な第２通信インタフェースの一例である。すなわち、ＭＦＰ１０は、通信Ｉ／Ｆ２５を通じて外部装置に各種データを送信し、通信Ｉ／Ｆ２５を通じて外部装置から各種データを受信する。通信Ｉ／Ｆ２５の具体的な通信手順は特に限定されないが、例えば、Ｗｉ−Ｆｉ（登録商標）を採用することができる。また、ＭＦＰ１０及び情報処理端末５０がＵＳＢケーブルで接続される場合、通信Ｉ／Ｆ２５は、ＵＳＢケーブルを着脱可能なＵＳＢインタフェースであってもよい。
【００１６】
プリンタ１１は、画像データで示される画像をシートに記録するプリント動作を実行する。プリンタ１１の記録技術としては、インクジェット技術や電子写真技術などの公知の技術を採用することができる。スキャナ１２は、原稿に記録された画像を読み取ってスキャンデータを生成するスキャン動作を実行する。ＦＡＸ部１３は、画像データを外部装置にＦＡＸ送信し、画像データを外部装置からＦＡＸ受信するＦＡＸ動作を実行する。ＭＦＰ１０は、例えば、コピー動作、スキャンＰＣ動作、スキャンＵＳＢ動作、スキャンＷＥＢ動作、スキャンメール動作等がさらに実行可能であってもよい。
【００１７】
コピー動作は、スキャン動作でスキャナ１２が生成したスキャンデータで示される画像を、プリント動作でプリンタ１１がシートに記録する動作である。スキャンＰＣ動作は、スキャン動作でスキャナ１２が生成したスキャンデータを、通信Ｉ／Ｆ２５を通じて情報処理端末５０に送信する動作である。スキャンＵＳＢ動作は、スキャン動作でスキャナ１２が生成したスキャンデータを、不図示の装着部に装着されたＵＳＢメモリに記憶させる動作である。スキャンアップロード動作は、スキャン動作でスキャナ１２が生成したスキャンデータを、通信Ｉ／Ｆ２５を通じてインターネット上のストレージサーバに送信する動作である。スキャンメール動作は、スキャン動作でスキャナ１２が生成したスキャンデータを、通信Ｉ／Ｆ２５を通じてＳＭＴＰサーバに送信する動作である。
【００１８】
ＭＦＰ１０が実行可能な動作は、動作ＩＤによって識別される。例えば、プリンタ１１が実行するプリント動作は動作ＩＤ“Ｐｒｉｎｔ”で識別され、スキャナ１２が実行するスキャン動作は動作ＩＤ“Ｓｃａｎ”で識別され、ＦＡＸ部１３が実行するＦＡＸ動作は動作ＩＤ“ＦＡＸ”で識別され、コピー動作は動作ＩＤ“Ｃｏｐｙ”で識別され、スキャンＰＣ動作は動作ＩＤ“Ｓｃａｎ  ｔｏ  ＰＣ”で識別され、スキャンＵＳＢ動作は動作ＩＤ“Ｓｃａｎ  ｔｏ  ＵＳＢ”で識別され、スキャンアップロード動作は動作ＩＤ“Ｓｃａｎ  ｔｏ  ＷＥＢ”で識別され、スキャンメール動作は動作ＩＤ“Ｓｃａｎ  ｔｏ  Ｅｍａｉｌ”で識別される。
【００１９】
ＭＦＰ１０は、動作パラメータに従って前述の動作を実行する。動作パラメータは、動作の実行条件を示す情報である。動作パラメータは、１以上の項目（例えば、解像度、形式、サイズ、色、宛先）それぞれの設定値を含む。動作パラメータの項目は、対応する動作によって異なる。コピー動作の動作パラメータは、例えば、項目“サイズ”、“色”の設定値を含むことができる。スキャンＰＣ動作及びスキャンＵＳＢ動作の動作パラメータは、例えば、項目“解像度”、“形式”の設定値を含むことができる。スキャンアップロード動作及びスキャンメール動作の動作パラメータは、例えば、項目“形式”、“宛先”の設定値を含むことができる。
【００２０】
項目“解像度”の設定値は、原稿の読取解像度を示す。項目“形式”の設定値は、スキャンデータのファイル形式を示す。項目“サイズ”は、画像を記録するシートのサイズを示す。項目“色”は、プリント動作で用いる色を示す。項目“宛先”は、スキャンデータの送信先のサーバのＵＲＬ或いはＥメールアドレスを示す。但し、各動作の動作パラメータは、前述の項目の全てを含んでいなくてもよいし、前述の項目以外の項目をさらに含んでもよい。
【００２１】
ＣＰＵ３１は、ＭＦＰ１０の全体動作を制御するものである。ＣＰＵ３１は、入力Ｉ／Ｆ２４から出力される各種情報、通信Ｉ／Ｆ２５を通じて外部装置から取得した各種情報等に基づいて、後述する各種プログラムをメモリ３２から取得して実行する。ＣＰＵ３１及びメモリ３２は、第２コントローラの一例を構成する。
【００２２】
メモリ３２は、ＯＳ３４と、装置プログラム３５とを記憶している。装置プログラム３５は、単一のプログラムであってもよいし、複数のプログラムの集合体であってもよい。また、メモリ３２は、装置プログラム３５の実行に必要なデータ或いは情報等を記憶する。メモリ３２は、例えば、ＲＡＭ、ＲＯＭ、ＥＥＰＲＯＭ、ＨＤＤ、ＭＦＰ１０に着脱されるＵＳＢメモリ等の可搬記憶媒体、ＣＰＵ３１が備えるバッファ等、或いはそれらの組み合わせによって構成される。
【００２３】
メモリ３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。後述する情報処理端末５０のメモリ６２についても同様である。
【００２４】
メモリ３２は、例えば、図１３に示されるアイコン画面を示す画面指示データを記憶している。画面指示データは、例えば、ＭＦＰ１０の出荷前に製造メーカによってメモリ３２に記憶される。出荷時にメモリ３２に記憶されている画面指示データを、「標準画面データ」と表記することがある。画面指示データの形式は特に限定されないが、例えば、ＸＭＬ形式の情報であってもよい。
【００２５】
アイコン画面は、例えば、複数のページで構成されている。そして、ディスプレイ２３には、複数のページの１つがアイコン画面として表示される。また、ディスプレイ２３に表示されるページは、入力Ｉ／Ｆ２４を通じてユーザが入力したスクロール操作に従って切り替えられる。画面指示データは、例えば、図２（Ａ）に示されるページリストと、図２（Ｂ）に示されるアイコンリストとを含む。
【００２６】
ページリストは、複数のページレコードと、背景画像データとを含む。ページレコードは、アイコン画面を構成する複数のページの１つに対応する。ページレコードは、ページＩＤと、テキストデータとを含む。ページＩＤは、アイコン画面を構成する複数のページを識別するページ識別情報である。テキストデータは、ページに対応付けられた画面情報の一例である。より詳細には、テキストデータは、対応するページのタイトルを示す文字列（以下、「ページテキスト」と表記する。）を示す。
【００２７】
背景画像データは、アイコン画面の背景図柄を示す。背景図柄は、アイコン画面を構成する全てのページに共通であってもよい。各ページは、ディスプレイ２３の表示領域のサイズ（以下、「表示領域サイズ」と表記する。）に略一致する背景図柄上に、動作アイコン等を示す図柄が合成された画面となる。
【００２８】
また、ページＩＤは、複数のページの配列順（以下、「ページ順序」と表記する）を示すページ順序情報としても利用される。例えば、ページＩＤ“ページ０１”はアイコン画面の左端のページを示し、ページＩＤ“ページ０２”はページＩＤ“ページ０１”の右隣のページを示し、ページＩＤ“ページ０３”はページＩＤ“ページ０２”の右隣のページを示す。すなわち、複数のページは、ページＩＤの昇順に配列される。但し、ページ順序を示す情報は、ページＩＤとは別にページレコードに含められてもよい。
【００２９】
アイコンリストは、複数のアイコンレコードを含む。アイコンレコードは、アイコン画面を構成する各ページに表示される動作アイコンと、入力Ｉ／Ｆ２４を通じて動作アイコンが特定された時にＭＦＰ１０に実行させる動作とを示す。アイコンレコードは、例えば、ページＩＤと、アイコンＩＤと、アイコン画像データと、テキストデータと、動作ＩＤと、動作パラメータとを含む。動作ＩＤ及び動作パラメータの組み合わせは、ＭＦＰ１０に実行させる動作を示す動作情報の一例である。
【００３０】
アイコンＩＤは、ページＩＤで識別されるページに表示される動作アイコンを識別するアイコン識別情報である。すなわち、アイコンＩＤは、同一のページＩＤに対して一意に設定される。アイコン画像データは、動作アイコンの図柄を示す画像データである。テキストデータは、動作アイコンに対応付けられたアイコン情報の一例である。より詳細には、テキストデータは、対応する動作アイコンに対応付けてアイコン画面に記述される文字列（以下、「アイコンテキスト」と表記する。）を示す。動作ＩＤは、対応する動作アイコンが特定された時に実行すべき動作を識別する。動作パラメータは、対応する動作ＩＤで識別される動作の実行条件を示す。
【００３１】
また、アイコンＩＤは、ページ上における動作アイコンの配列順（以下、「アイコン順序」と表記する。）を示すアイコン順序情報としても利用される。例えば、アイコンＩＤ“アイコン０１”はページの左端の位置を示し、アイコンＩＤ“アイコン０２”はアイコンＩＤ“アイコン０１”の右隣の位置を示し、アイコンＩＤ“アイコン０３”はアイコンＩＤ“アイコン０２”の右隣を示す。すなわち、動作アイコンは、ページの左端から右方に向かって、アイコンＩＤの昇順に配列される。ページの左方が配列順の前方であり、ページの右方が配列順の後方である。但し、アイコン順序を示す情報は、アイコンＩＤとは別にアイコンレコードに含められてもよい。
【００３２】
なお、ページＩＤ“ページ０１”及びアイコンＩＤ“アイコン０３”を含むアイコンレコードは、アイコン画像データ、動作ＩＤ、及び動作パラメータを含んでおらず、テキストデータ“Ｎｏ  Ｉｃｏｎ”が設定されている。すなわち、ページＩＤ“ページ０１”で識別されるページには、アイコンＩＤ“アイコン０３”で示される位置に動作アイコンが表示されない。このアイコンレコードは、ページＩＤ“ページ０１”で識別されるページのアイコンＩＤ“アイコン０３”で示される位置に、動作アイコンが追加可能であることを示す。ページＩＤ“ページ０１”のアイコンＩＤ“アイコン０３”で示される位置は、予約領域の一例である。ページＩＤ“ページ０３”及びアイコンＩＤ“アイコン０１”を含むアイコンレコードについても同様である。
【００３３】
情報処理端末５０は、図１に示されるように、ディスプレイ５３と、入力Ｉ／Ｆ５４と、通信Ｉ／Ｆ５５と、ＣＰＵ６１と、メモリ６２と、通信バス６３とを主に備える。情報処理端末５０に含まれるディスプレイ５３、入力Ｉ／Ｆ５４、通信Ｉ／Ｆ５５、ＣＰＵ６１、メモリ６２、及び通信バス６３は、ＭＦＰ１０に含まれるディスプレイ２３、入力Ｉ／Ｆ２４、通信Ｉ／Ｆ２５、ＣＰＵ３１、メモリ３２、及び通信バス３３と同様の構成であるので、説明は省略する。
【００３４】
情報処理端末５０は、例えば、携帯電話、スマートフォン、タブレット端末、或いはＰＣ等である。ディスプレイ５３は端末ディスプレイの一例であり、入力Ｉ／Ｆ５４は第１入力インタフェースの一例であり、通信Ｉ／Ｆ５５は第１通信インタフェースの一例であり、ＣＰＵ６１及びメモリ６２は第１コントローラの一例である。
【００３５】
メモリ６２は、ＯＳ６４と、端末プログラム６５と、一覧プログラム６６とを記憶している。また図示は省略するが、メモリ６２は、特定装置ＩＤを記憶することができる。特定装置ＩＤは、通信Ｉ／Ｆ５５を通じて通信可能な複数のＭＦＰ１０のうち、ユーザが特定したＭＦＰ１０（以下、「特定装置」と表記する。）を識別する。また、入力Ｉ／Ｆ５４は、例えば、キーボードと、マウスとで構成されてもよい。
【００３６】
ＯＳ６４は、情報処理端末５０にインストールされた複数のプログラムそれぞれが生成した複数の画面（すなわち、ウィンドウ）を、ディスプレイ５３に同時に表示させることが可能である。すなわち、ＯＳ６４は、所謂マルチウィンドウ機能を有する。なお、ディスプレイ５３に表示される画面は、ＯＳ６４自身が表示させるもの（例えば、デスクトップ画面）であってもよい。
【００３７】
また、ＯＳ６４は、例えば図８に示されるように、ポインタ画像（例えば、矢印を表す画像）１１０をディスプレイ５３に表示させ、マウスの移動に追従してディスプレイ５３上におけるポインタ画像１１０の位置を移動させ、ポインタ画像１１０の位置を端末プログラム６５に通知する。また、ＯＳ６４は、例えばキーボードに搭載された複数のボタン、及びマウスに搭載された２つのボタン（以下、「左ボタン」、「右ボタン」と表記する。）が押下されたことを、端末プログラム６５に通知する。
【００３８】
以下、ディスプレイ５３に表示されたオブジェクトの位置にポインタ画像１１０を重ねた状態で、左ボタンを押下する操作を「オブジェクトに対する左クリック操作」と表記する。同様に、ディスプレイ５３に表示されたオブジェクトの位置にポインタ画像１１０を重ねた状態で、右ボタンを押下する操作を「オブジェクトに対する右クリック操作」と表記する。
【００３９】
さらに、ディスプレイ５３に表示されたオブジェクトの位置（以下、「開始位置」と表記する。）にポインタ画像１１０を重ねた状態で左ボタンを押下し、左ボタンを押下したままポインタ画像１１０を移動させ、開始位置と異なる終了位置で左ボタンの押下を解除する操作を「オブジェクトに対するドラッグ操作」と表記する。すなわち、ドラッグ操作とは、ディスプレイ５３上の開始位置及び終了位置の間を、左ボタンを押下したままポインタ画像１１０を移動させる操作である。さらに換言すれば、ドラッグ操作は、開始位置に表示されたオブジェクトを、終了位置に移動させる操作である。
【００４０】
端末プログラム６５は、ＭＦＰ１０のアイコン画面をカスタマイズするプログラムである。より詳細には、端末プログラム６５は、入力Ｉ／Ｆ５４を通じたユーザ操作に従って画面指示データを編集し、編集した画面指示データをＭＦＰ１０に出力する。一覧プログラム６６は、例えば図８に示されるように、複数の画像アイコン１２１〜１２５を含む一覧画面１２０を、ディスプレイ５３の一部の領域に表示させる外部プログラム（例えば、エクスプローラ）の一例である。
【００４１】
画像アイコン１２１〜１２５は、例えば、メモリ６２に記憶された複数の画像データの１つに対応付けられている。画像アイコン１２１〜１２５に対応付けられた画像データは、例えば、カメラで撮影した写真、不図示のペイントプログラムを用いて生成した画像等の任意の画像を示す。すなわち、メモリ６２に記憶された複数の画像データは、サイズ（縦方向の画素数、横方向の画素数）が互いに異なる画像を示してもよい。
【００４２】
また、複数の画像データは、メモリ６２の異なる領域（例えば、フォルダ）に記憶されていてもよい。そして、一覧プログラム６６は、例えば、メモリ６２に確保された複数のフォルダのうち、ユーザが特定したフォルダに記憶された画像データに対応する画像アイコン１２１〜１２５を一覧表示させてもよい。さらに、画像アイコン１２１〜１２５に対応付けられた画像データは、例えば、インターネット上のストレージサーバ（不図示）に記憶されていてもよい。
【００４３】
図３〜図７を参照して、本実施形態に係る情報処理システム１００の動作を説明する。
【００４４】
本明細書のフローチャートは、基本的に、プログラムに記述された命令に従ったＣＰＵ３１、６１の処理を示す。すなわち、以下の説明における「判断」、「抽出」、「選択」、「算出」、「決定」、「特定」、「制御」等の処理は、ＣＰＵ３１、６１の処理を表している。ＣＰＵ６１による処理は、ＯＳ６４を介したハードウェア制御も含む。また、本明細書中の「データ」とは、コンピュータに読取可能なビット列で表される。そして、実質的な意味内容が同じでフォーマットが異なるデータは、同一のデータとして扱われるものとする。本明細書中の「情報」についても同様である。
【００４５】
［メイン処理］
端末プログラム６５は、例えば、入力Ｉ／Ｆ５４を通じたユーザの指示で起動されたことに応じて、図３に示されるメイン処理を実行する。まず、端末プログラム６５は、メモリ６２に記憶された特定ページＩＤ及び特定アイコンＩＤを初期化する（Ｓ１１）。例えば、特定ページＩＤの初期値は“ページ０１”であり、特定アイコンＩＤの初期値は“ｎｕｌｌ（すなわち、有効な値が設定されていない状態）”である。
【００４６】
特定ページＩＤは、アイコン画面を構成する複数のページの１つ（以下、「特定ページ」と表記することがある。）を識別するための情報である。特定アイコンＩＤは、特定ページＩＤで識別されるページに表示される複数の動作アイコンの１つ（以下、「特定アイコン」と表記することがある。）を識別するための情報である。特定ページＩＤで識別されるページは特定画面の一例であり、特定アイコンＩＤで識別される動作アイコンは特定アイコンの一例である。
【００４７】
次に、端末プログラム６５は、特定装置の標準画面データと、特定装置の装置情報とを取得する。装置情報は、例えば、特定装置のディスプレイ２３の表示領域サイズ、及びアイコン画面に配置される動作アイコンのアイコンサイズを示す情報（例えば、縦方向の画素数、横方向の画素数）等を含む。そして、端末プログラム６５は、取得した標準画面データ及び装置情報を、メモリ６２に一時記憶させる。
【００４８】
一例として、端末プログラム６５は、画面指示データ及び装置情報をメモリ６２から読み出してもよい。他の例として、端末プログラム６５は、通信Ｉ／Ｆ５５を通じて特定装置から画面指示データ及び装置情報を受信してもよい。さらに他の例として、端末プログラム６５は、特定装置のモデル名を示すモデル情報を通信Ｉ／Ｆ５５を通じて不図示のサーバに送信してもよい。そして、端末プログラム６５は、モデル情報に対応付けてサーバメモリに記憶された画面指示データ及び装置情報を、通信Ｉ／Ｆ５５を通じてサーバから受信してもよい。
【００４９】
［画面生成処理］
次に、端末プログラム６５は、図４に示される画面生成処理を実行する（Ｓ１２）。画面生成処理は、カスタマイズ画面１３０を生成する処理である。カスタマイズ画面１３０は、例えば図８に示されるように、［保存］ボタン１３１と、［送信］ボタン１３２と、ツリー領域１３３と、プレビュー領域１３４と、詳細領域１３５とを含む。［保存］ボタン１３１は、後述するＳ１８、Ｓ１９、Ｓ２０で編集した画面指示データを、メモリ６２或いは不図示のサーバに保存する指示に対応する。［送信］ボタン１３２は、Ｓ１８〜Ｓ２０で編集した画面指示データを、特定装置に送信する指示に対応する。
【００５０】
ツリー領域１３３は、アイコン画面を構成する複数のページの並び順、及び複数のページそれぞれに表示される動作アイコンの並び順が一覧表示される第１領域の一例である。プレビュー領域１３４は、特定ページに含まれる動作アイコンが、画面指示データで示されるレイアウトで表示される第２領域の一例である。詳細領域１３５は、特定アイコンに関連付けられた情報が表示される第３領域の一例である。
【００５１】
ツリー領域１３３、プレビュー領域１３４、及び詳細領域１３５は、カスタマイズ画面１３０上で並列に表示される。より詳細には、ツリー領域１３３、プレビュー領域１３４、及び詳細領域１３５は、カスタマイズ画面１３０の左右方向に沿ってこの順に配列されている。すなわち、ユーザは、表示を切り替えるユーザ操作等をしなくても、各領域１３３〜１３５に表示される情報を一目で把握することができる。
【００５２】
まず、端末プログラム６５は、ページリスト及びアイコンリストに含まれる全てのテキストデータを読み出す（Ｓ３１）。次に、端末プログラム６５は、読み出したテキストデータで示されるページテキスト及びアイコンテキストを、階層化してツリー領域１３３にセットする（Ｓ３２）。ツリー領域１３３には、複数のページそれぞれについて、当該ページのページテキストと、当該ページに含まれる動作アイコンのアイコンテキストとが対応付けられて一覧表示される。また、複数のページテキストは、ページ順序に従って上下方向に配列されている。さらに、ページテキストに対応付けられた複数のアイコンテキストは、アイコン順序に従って上下方向に配列されている。
【００５３】
また、ツリー領域１３３には、全てのページに共通の情報として背景画像データのファイル名“bg_image.jpeg”が表示される。また、アイコン画面には、例えば図１３に示されるように、スクロールアイコン１７３、１７４、設定ボタン１７５、お知らせ表示領域１７６、及び［スタート］ボタン１７７等が表示される。しかしながら、これらは端末プログラム６５によって編集できないので、ツリー領域１３３には表示されない。すなわち、ツリー領域１３３には、画面指示データに含まれる情報のうち、後述するＳ１８、Ｓ１９、Ｓ２０でユーザの指示に従って編集可能な情報のみが表示されればよい。
【００５４】
さらに、特定ページＩＤ及び特定アイコンＩＤのうちの特定ページＩＤにのみ有効な値が設定されている場合、例えば図８に示されるように、特定ページＩＤ“ページ０１”に対応するページテキスト“スキャン１”が他のページテキストと異なる表示態様（例えば、ハイライト表示）で表示される。さらに、特定ページＩＤ及び特定アイコンＩＤの両方に有効な値が設定されている場合、例えば図９に示されるように、特定ページＩＤ“ページ０１”及び特定アイコンＩＤ“アイコン０１”に対応するアイコンテキスト“スキャンＰＣ”が他のアイコンテキストと異なる表示態様で表示される。
【００５５】
次に、端末プログラム６５は、特定ページＩＤ“ページ０１”を含む全てのアイコンレコードを、アイコンリストから読み出す（Ｓ３３）。そして、端末プログラム６５は、読み出したアイコンレコードで示される動作アイコン及びアイコンテキストを、アイコン順序に従ってプレビュー領域１３４にセットする（Ｓ３４）。プレビュー領域１３４は、例えば図８に示されるように、ページタブ１４１、１４２、１４３と、［＋］タブ１４４と、レイアウト領域１４５とを含む。
【００５６】
ページタブ１４１、１４２、１４３は、ページレコードの１つに対応する。ページタブ１４１〜１４３は、ページ順序に従って左右方向に配列されている。また、図８に示されるカスタマイズ画面１３０において、特定ページＩＤを含むページレコードに対応するページタブ１４１が選択された状態になっている。［＋］タブ１４４は、アイコン画面に新たなページを追加する指示に対応する。
【００５７】
レイアウト領域１４５は、画面指示データに従ってＭＦＰ１０のディスプレイ２３に表示されるアイコン画面と共通のレイアウトで、動作アイコン１５１、１５２が表示される領域である。動作アイコン１５１、１５２は、Ｓ３３で読み出したアイコンレコードのうち、アイコン画像データを含むアイコンレコードに対応する。動作アイコン１５１、１５２の図柄は、対応するアイコンレコードのアイコン画像データで示される。
【００５８】
また、レイアウト領域１４５には、スクロールアイコン１４７と、予約領域画像１５３とが表示される。スクロールアイコン１４７は、特定ページＩＤ“ページ０１”を、ページ順序の直後のページＩＤ“ページ０２”に切り替える指示に対応する。また、図１０に示されるカスタマイズ画面１３０には、特定ページＩＤ“ページ０２”を、ページ順序の直前のページＩＤ“ページ０１”に切り替える指示に対応するスクロールアイコン１４６が表示される。予約領域画像１５３は、Ｓ３３で読み出したアイコンレコードのうち、アイコン画像データを含まないアイコンレコードに対応する。予約領域画像１５３は、新たな動作アイコンを追加可能な予約領域を示す画像である。
【００５９】
また、レイアウト領域１４５は、挿入領域を含んでもよい。挿入領域は、新たな動作アイコンを挿入可能な領域である。挿入領域は、動作アイコン１５１、１５２及び予約領域画像１５３それぞれの左隣の領域である。なお、レイアウト領域１４５は、挿入領域を示す挿入領域画像を含んでもよい。さらに、レイアウト領域１４５は、背景領域を含む。背景領域は、背景画像データで示される背景図柄が表示される領域である。背景領域は、例えば、動作アイコン１５１及び予約領域画像１５３の上方及び下方の領域である。
【００６０】
次に、端末プログラム６５は、特定アイコンＩＤに有効な値が設定されているか否かを判断する（Ｓ３５）。そして、端末プログラム６５は、特定アイコンＩＤに“ｎｕｌｌ”が設定されていると判断したことに応じて（Ｓ３５：Ｎｏ）、Ｓ３６、Ｓ３７の処理をスキップして、画像生成処理を終了する。この場合の詳細領域１３５には、図８に示されるように、何も表示されない。Ｓ３６、Ｓ３７の処理及び詳細領域１３５に表示される情報の詳細は、後述する。
【００６１】
次に図３に戻って、端末プログラム６５は、例えば図８に示されるように、ディスプレイ５３の一部の領域にカスタマイズ画面１３０を表示させる（Ｓ１３）。そして、端末プログラム６５は、カスタマイズ画面１３０に対するユーザ操作を、入力Ｉ／Ｆ５４を通じて受け付ける（Ｓ１４〜Ｓ１７）。Ｓ１３の処理は表示処理及び第１表示処理の一例であり、Ｓ１４〜Ｓ１７の処理は受付処理及び第１受付処理の一例である。Ｓ１４〜Ｓ１６で受け付けるユーザ操作は、カスタマイズ画面１３０に表示された情報の編集を指示する編集操作の一例である。
【００６２】
［ツリー領域編集処理］
端末プログラム６５は、図８に示されるツリー領域１３３に対するユーザ操作（例えば、クリック操作、ドラッグ操作）を入力Ｉ／Ｆ５４を通じて受け付けたことに応じて（Ｓ１４：Ｙｅｓ）、図５に示されるツリー領域編集処理を実行する（Ｓ１８）。Ｓ１８の処理は、画面指示データで示されるページ及び動作アイコンの並び順を編集する第１編集処理の一例である。
【００６３】
一例として、端末プログラム６５は、図８に示されるページテキスト“スキャン２”に対する左クリック操作を、入力Ｉ／Ｆ５４を通じて受け付ける（Ｓ４１：ページテキスト）。ページテキストに対する左クリック操作は、複数のページテキストの１つを特定する特定操作の一例である。また、この特定操作は、ページタブ１４２に対する左クリック操作によって実現されてもよい。これにより、端末プログラム６５は、ページテキスト“スキャン２”に対応するページレコードのページＩＤ“ページ０２”を、特定ページＩＤにセットする（Ｓ４４）。また、端末プログラム６５は、特定アイコンＩＤに“ｎｕｌｌ”をセットする（Ｓ４５）。
【００６４】
次に図３に戻って、端末プログラム６５は、Ｓ４４、Ｓ４５で設定した特定ページＩＤ及び特定アイコンＩＤに基づいて画面生成処理（Ｓ１２）を実行し、生成したカスタマイズ画面１３０をディスプレイ５３に表示させ（Ｓ１３）、カスタマイズ画面１３０に対するユーザ操作を入力Ｉ／Ｆ５４を通じて受け付ける（Ｓ１４）。その結果、ツリー領域１３３は、ページテキスト“スキャン２”がハイライト表示された状態になる。また、プレビュー領域１３４は、ページタブ１４２が選択された状態となり、特定ページＩＤ“ページ０２”を含むアイコンレコードで示される動作アイコン及びアイコンテキストと、スクロールアイコン１４６とがレイアウト領域１４５に表示される。
【００６５】
他の例として、端末プログラム６５は、図８に示されるアイコンテキスト“スキャンＰＣ”に対する左クリック操作を、入力Ｉ／Ｆ５４を通じて受け付ける（Ｓ４１：アイコンテキスト）。アイコンテキストに対する左クリック操作は、複数のアイコンテキストの１つを特定する特定操作の一例である。これにより、端末プログラム６５は、アイコンテキスト“スキャンＰＣ”に対応するアイコンレコードのページＩＤ“ページ０１”を、特定ページＩＤにセットする（Ｓ４６）。また、端末プログラム６５は、アイコンテキスト“スキャンＰＣ”に対応するアイコンレコードのアイコンＩＤ“アイコン０１”を、特定アイコンＩＤにセットする（Ｓ４７）。
【００６６】
次に図３に戻って、端末プログラム６５は、Ｓ４６、Ｓ４７で設定した特定ページＩＤ及び特定アイコンＩＤに基づいて、Ｓ１２〜Ｓ１４の処理を実行する。その結果、ツリー領域１３３は、図９に示されるように、アイコンテキスト“スキャンＰＣ”がハイライト表示された状態になる。また、プレビュー領域１３４は、特定ページＩＤ“ページ０１”及び特定アイコンＩＤ“アイコン０１”を含むアイコンレコードに対応する動作アイコン１５１が選択された状態となる。さらに、詳細領域１３５には、動作アイコン１５１に関連付けられた情報が表示される。
【００６７】
すなわち、端末プログラム６５は、特定アイコンＩＤに有効な値が設定されていると判断したことに応じて（Ｓ３５：Ｙｅｓ）、特定ページＩＤ“ページ０１”及び特定アイコンＩＤ“アイコン０１”を含むアイコンレコードを、アイコンリストから読み出す（Ｓ３６）。そして、端末プログラム６５は、Ｓ３６で読み出したアイコンレコードのアイコンテキスト“スキャンＰＣ”と、動作情報“Ｓｃａｎ  ｔｏ  ＰＣ”、“３００ｄｐｉ”、“ＰＤＦ”と、アイコン画像データで示される図柄とを詳細領域１３５にセットする（Ｓ３７）。また、詳細領域１３５は、アイコンテキストの入力を受け付けるためのテキストボックス１６１と、動作情報を変更する指示に対応する［変更］ボタン１６２と、アイコン画像データを変更する指示に対応する［変更］ボタン１６３とを含む。
【００６８】
他の例として、端末プログラム６５は、図８に示されるページテキスト“スキャン１”を、ページテキスト“スキャン２”、“コピー”の間の位置に移動させるドラッグ操作を、入力Ｉ／Ｆ５４を通じて受け付ける（Ｓ４２：ページテキスト）。このドラッグ操作は、ページテキストの移動を指示する編集操作の一例である。また、この編集操作は、ページタブ１４１を、ページタブ１４２、１４３の間の位置に移動させるドラッグ操作によって実現されてもよい。
【００６９】
この場合の端末プログラム６５は、ドラッグ操作で並び替えられたページテキストの並び順に従って、ページリスト及びアイコンリストのページＩＤを並び替える（Ｓ４８）。前述の例によれば、端末プログラム６５は、図２に示されるページリスト及びアイコンリストのページＩＤを、“ページ０２”、“ページ０１”、“ページ０３”の順に並び替える。一方、端末プログラム６５は、Ｓ４８において、アイコンＩＤ、アイコン画像データ、テキストデータ、動作ＩＤ、及び動作パラメータの対応関係を変更しない。
【００７０】
次に図３に戻って、端末プログラム６５は、Ｓ４８で編集した画面指示データに基づいて、Ｓ１２〜Ｓ１４の処理を実行する。その結果、ツリー領域１３３には、図１０に示されるように、ページテキスト“スキャン２”、“スキャン１”、“コピー”がこの順に表示される。一方、ページテキスト及びアイコンテキストの対応関係は、図８から変更されない。また、プレビュー領域１３４には、ページタブ１４２、１４１、１４３がこの順に表示され、スクロールアイコン１４６がさらに表示される。
【００７１】
他の例として、端末プログラム６５は、図８に示されるアイコンテキスト“スキャンＰＣ”を、同一のページテキスト“スキャン１”に対応付けられたアイコンテキスト“Ｎｏ  Ｉｃｏｎ”の直下に移動させるドラッグ操作を、入力Ｉ／Ｆ５４を通じて受け付ける（Ｓ４２：アイコンテキスト＆Ｓ４３：同一ページ）。このドラッグ操作は、ページテキストとの対応関係が変更されない範囲でアイコンテキストの移動を指示する編集操作の一例である。また、この編集操作は、動作アイコン１５１を予約領域画像１５３の右隣に移動させるドラッグ操作によって実現されてもよい。動作アイコン１５１を移動させるドラッグ操作は、複数の動作アイコンの並び替えを指示する編集操作の一例である。
【００７２】
この場合の端末プログラム６５は、ドラッグ操作で並び替えられたページテキストの並び順に従って、アイコンリストのアイコンＩＤを並び替える（Ｓ４９）。前述の例によれば、端末プログラム６５は、図２（Ｂ）に示されるアイコンリストのページＩＤ“ページ０１”に対応するアイコンＩＤを、“アイコン０２”、“アイコン０３”、“アイコン０１”の順に並び替える。一方、端末プログラム６５は、Ｓ４９において、アイコン画像データ、テキストデータ、動作ＩＤ、及び動作パラメータの対応関係を変更しない。
【００７３】
次に図３に戻って、端末プログラム６５は、Ｓ４９で編集した画面指示データに基づいて、Ｓ１２〜Ｓ１４の処理を実行する。その結果、ツリー領域１３３には、図１１に示されるように、ページテキスト“スキャン１”に対応するアイコンテキスト“スキャンＵＳＢ”、“Ｎｏ  Ｉｃｏｎ”、“スキャンＰＣ”がこの順に表示される。また、プレビュー領域１３４には、動作アイコン１５２、予約領域画像１５３、動作アイコン１５１がこの順に表示される。さらに詳細領域１３５には、動作アイコン１５１に関連付けられた情報が表示される。
【００７４】
さらに他の例として、端末プログラム６５は、図８に示されるページテキスト“スキャン２”に対応付けられたアイコンテキスト“スキャンＦＴＰ”を、ページテキスト“スキャン１”に対応付けられたアイコンテキスト“Ｎｏ  Ｉｃｏｎ”の位置に移動させるドラッグ操作を、入力Ｉ／Ｆ５４を通じて受け付ける（Ｓ４２：アイコンテキスト＆Ｓ４３：他ページ）。このドラッグ操作は、ページテキスト“スキャン２”に対応付けられたアイコンテキスト“スキャンＦＴＰ”を、ページテキスト“スキャン１”に対応付ける編集操作の一例である。ページテキスト“スキャン２”は第１画面情報の一例であり、ページテキスト“スキャン１”は第２画面情報の一例である。
【００７５】
この場合の端末プログラム６５は、ドラッグ操作の開始位置及び終了位置のアイコンテキストに対応するアイコンレコードのページＩＤ及びアイコンＩＤを置換する（Ｓ５０）。前述の例によれば、端末プログラム６５は、図２（Ｂ）に示されるアイコンリストにおいて、ページＩＤ“ページ０２”及びアイコンＩＤ“アイコン０１”と、ページＩＤ“ページ０１”及びアイコンＩＤ“アイコン０３”とを置換する。一方、端末プログラム６５は、Ｓ５０において、アイコン画像データ、テキストデータ、動作ＩＤ、及び動作パラメータの対応関係を変更しない。
【００７６】
次に図３に戻って、端末プログラム６５は、Ｓ５０で編集した画面指示データに基づいて、Ｓ１２〜Ｓ１４の処理を実行する。その結果、ツリー領域１３３には、図１２に示されるように、ページテキスト“スキャン１”に対応するアイコンテキスト“スキャンＰＣ”、“スキャンＵＳＢ”、“スキャンＦＴＰ”がこの順に表示され、ページテキスト“スキャン２”に対応する”アイコンテキスト“Ｎｏ  Ｉｃｏｎ”、“スキャンＭａｉｌ”、“スキャンクラウド”がこの順に表示され、アイコンテキスト“スキャンＦＴＰ”がハイライト表示される。
【００７７】
また、プレビュー領域１３４には、動作アイコン１５１、１５２、１５４がこの順に表示され、動作アイコン１５４が選択された状態となる。動作アイコン１５４は、アイコンテキスト“スキャンＦＴＰ”を含むアイコンレコードに対応する。すなわち、端末プログラム６５は、ページＩＤ“ページ０２”で識別されるページから動作アイコン１５４を削除し、ページＩＤ“ページ０１”で識別されるページに動作アイコン１５４を追加する。さらに、詳細領域１３５には、動作アイコン１５４に対応するアイコンテキスト“スキャンＦＴＰ”と、動作情報“Ｓｃａｎ  ｔｏ  ＷＥＢ”、“ＴＩＦＦ”、“www.svr-a.com”と、アイコン画像データで示される図柄とが表示される。
【００７８】
［プレビュー領域編集処理］
また、端末プログラム６５は、図８に示されるプレビュー領域１３４に対するユーザ操作（例えば、クリック操作、ドラッグ操作）を入力Ｉ／Ｆ５４を通じて受け付けたことに応じて（Ｓ１５：Ｙｅｓ）、図６に示されるプレビュー領域編集処理を実行する（Ｓ１９）。Ｓ１９の処理は、特定ページＩＤ“ページ０１”で識別されるページのレイアウトを編集する第２編集処理の一例である。
【００７９】
一例として、端末プログラム６５は、図８に示される動作アイコン１５１に対する左クリック操作を、入力Ｉ／Ｆ５４を通じて受け付ける（Ｓ６１：左）。動作アイコンに対する左クリック操作は、プレビュー領域１３４に表示された複数の動作アイコン１５１、１５２の１つを特定する特定操作の一例である。これにより、端末プログラム６５は、動作アイコン１５１に対応するアイコンレコードのアイコンＩＤ“アイコン０１”を、特定アイコンＩＤにセットする（Ｓ６２）。そして、端末プログラム６５は、Ｓ６２で設定した特定アイコンＩＤに基づいて、Ｓ１２〜Ｓ１４の処理を実行する。その結果、図９に示されるカスタマイズ画面１３０がディスプレイ５３に表示される。
【００８０】
他の例として、端末プログラム６５は、図８に示される動作アイコン１５１に対する右クリック操作を入力Ｉ／Ｆ５４を通じて受け付けたことに応じて（Ｓ６１：右）、不図示の編集メニューをカスタマイズ画面１３０に重ねてディスプレイ５３に表示させる（Ｓ６３）。編集メニューは、例えば、動作アイコン１５１を複製する指示に対応する［複製］ボタンと、動作アイコン１５１の削除を指示する指示に対応する［削除］ボタンとを含む。そして、端末プログラム６５は、編集メニューに対するユーザ操作を、入力Ｉ／Ｆ５４を通じて受け付ける（Ｓ６４）。
【００８１】
次に、端末プログラム６５は、編集メニューの［複製］ボタンに対する左クリック操作を入力Ｉ／Ｆ５４を通じて受け付けたことに応じて（Ｓ６４：複製）、動作アイコン１５２に対応するアイコンレコードのアイコンＩＤを“アイコン０３”に繰り下げ、予約領域画像１５３に対応するアイコンレコードをアイコンリストから削除する。そして、端末プログラム６５は、動作アイコン１５１に対応するアイコンレコードを複製し、複製したアイコンレコードにアイコンＩＤ“アイコン０２”をセットしてアイコンリストに登録する（Ｓ６５）。
【００８２】
次に、端末プログラム６５は、動作登録処理を実行する（Ｓ６６）。動作登録処理は、ユーザが特定したアイコンテキスト及び動作情報を、Ｓ６５で新たに登録したアイコンレコードに登録する処理である。より詳細には、端末プログラム６５は、アイコンテキスト、動作ＩＤ、及び動作パラメータの入力を促す画面をディスプレイ５３に表示させ、入力Ｉ／Ｆ５４を通じてユーザが入力或いは選択した情報をＳ６５で登録したアイコンレコードにセットする。
【００８３】
そして、端末プログラム６５は、Ｓ６５、Ｓ６６で編集した画面指示データに基づいて、Ｓ１２〜Ｓ１４の処理を実行する。その結果、ツリー領域１３３には、ページテキスト“スキャン１”に対応するアイコンテキスト“スキャンＰＣ”、“Ｓ６６でユーザが入力した文字列”、“スキャンＵＳＢ”がこの順に表示される。また、プレビュー領域１３４には、動作アイコン１５１、１５１、１５２がこの順に表示される。さらに、詳細領域１３５には、Ｓ６６でユーザが入力した情報が表示される。
【００８４】
他の例として、端末プログラム６５は、編集メニューの［削除］ボタンに対する左クリック操作を入力Ｉ／Ｆ５４を通じて受け付けたことに応じて（Ｓ６４：削除）、動作アイコン１５１に対応するアイコンレコードのアイコン画像データ、動作ＩＤ、及び動作パラメータを削除し、アイコンテキスト“Ｎｏ  Ｉｃｏｎ”をセットする（Ｓ６７）。そして、端末プログラム６５は、Ｓ６７で編集した画面指示データに基づいて、Ｓ１２〜Ｓ１４の処理を実行する。その結果、図８のツリー領域１３３のアイコンテキスト“スキャンＰＣ”が“Ｎｏ  Ｉｃｏｎ”に置換される。また、プレビュー領域１３４の動作アイコン１５１が予約領域画像１５３に置換される。
【００８５】
他の例として、端末プログラム６５は、図８に示される画像アイコン１２４を動作アイコン１５１の位置に移動させるドラッグ操作を、入力Ｉ／Ｆ５４を通じて受け付ける（Ｓ６８：動作アイコン）。このドラッグ操作は、動作アイコン１５１の図柄の変更を指示する編集操作の一例である。また、この編集操作は、画像アイコン１２４をアイコンテキスト“スキャンＰＣ”の位置に移動させるドラッグ操作によって実現されてもよい。
【００８６】
これにより、端末プログラム６５は、画像アイコン１２４に対応付けられた画像データをアイコンサイズに拡大あるいは縮小して、アイコン画像データを生成する。そして、端末プログラム６５は、動作アイコン１５１に対応するアイコンレコードのアイコン画像データを、生成したアイコン画像データに置換する（Ｓ６９）。さらに、端末プログラム６５は、Ｓ６９で編集した画面指示データに基づいて、Ｓ１２〜Ｓ１４の処理を実行する。その結果、プレビュー領域１３４には、画像アイコン１２４に対応付けられた画像データで示される図柄に置換された動作アイコン１５１が表示される。
【００８７】
他の例として、端末プログラム６５は、図８に示される画像アイコン１２１を予約領域画像１５３の位置に移動させるドラッグ操作を、入力Ｉ／Ｆ５４を通じて受け付ける（Ｓ６８：予約領域）。このドラッグ操作は、特定ページへの動作アイコンの追加を指示する編集操作の一例である。また、この編集操作は、画像アイコン１２４をページテキスト“スキャン１”に対応するアイコンテキスト“Ｎｏ  Ｉｃｏｎ”の位置に移動させるドラッグ操作によって実現されてもよい。
【００８８】
これにより、端末プログラム６５は、画像アイコン１２１に対応付けられた画像データをアイコンサイズに拡大あるいは縮小して、アイコン画像データを生成する。そして、端末プログラム６５は、予約領域画像１５３に対応するアイコンレコードに、生成したアイコン画像データをセットする（Ｓ７０）。次に、端末プログラム６５は、動作登録処理を実行する（Ｓ７１）。さらに、端末プログラム６５は、Ｓ７０、Ｓ７１で編集した画面指示データに基づいて、Ｓ１２〜Ｓ１４の処理を実行する。その結果、例えば図１２に示されるカスタマイズ画面１３０がディスプレイ５３に表示される。
【００８９】
また図示は省略するが、端末プログラム６５は、図８に示される画像アイコン１２２を動作アイコン１５１、１５２の間の挿入領域に移動させるドラッグ操作を、入力Ｉ／Ｆ５４を通じて受け付ける。これにより、端末プログラム６５は、動作アイコン１５２に対応するアイコンレコードのアイコンＩＤを“アイコン０３”に繰り下げ、予約領域画像１５３に対応するアイコンレコードを削除する。また、端末プログラム６５は、ページＩＤ“ページ０１”と、アイコンＩＤ“アイコン０２”と、画像アイコン１２２に対応付けられた画像データから生成したアイコン画像データとを含むアイコンレコードを、アイコンリストに登録する。さらに、端末プログラム６５は、動作登録処理を実行する。
【００９０】
そして、端末プログラム６５は、編集した画面指示データに基づいて、Ｓ１２〜Ｓ１４の処理を実行する。その結果、ツリー領域１３３には、ページテキスト“スキャン１”に対応するアイコンテキスト“スキャンＰＣ”、“ユーザが入力した文字列”、“スキャンＵＳＢ”がこの順に表示される。また、プレビュー領域１３４には、動作アイコン１５１、画像アイコン１２２、動作アイコン１５２がこの順に表示される。さらに、詳細領域１３５には、動作登録処理でユーザが入力した情報が表示される。
【００９１】
さらに図示は省略するが、端末プログラム６５は、図８に示される画像アイコン１２５を背景領域に移動させるドラッグ操作を、入力Ｉ／Ｆ５４を通じて受け付ける。これにより、端末プログラム６５は、画像アイコン１２５に対応付けられた画像データを表示領域サイズに拡大あるいは縮小して、背景画像データを生成する。次に、端末プログラム６５は、生成した背景画像データをページリストに登録する。そして、端末プログラム６５は、編集した画面指示データに基づいて、Ｓ１２〜Ｓ１４の処理を実行する。これにより、ツリー領域１３３には、新たに登録された背景画像データのファイル名が表示される。また、プレビュー領域１３４の背景領域には、画像アイコン１２５に対応付けられた画像データで示される背景図柄が表示される。
【００９２】
［詳細領域編集処理］
さらに、端末プログラム６５は、図９に示される詳細領域１３５に対するユーザ操作（例えば、クリック操作、入力操作）を入力Ｉ／Ｆ５４を通じて受け付けたことに応じて（Ｓ１６：Ｙｅｓ）、図７に示される詳細領域編集処理を実行する（Ｓ２０）。Ｓ２０の処理は、特定ページＩＤ“ページ０１”及び特定アイコンＩＤ“アイコン０１”で識別される動作アイコン１５１に関連付けられた情報（例えば、アイコン画像データ、アイコンテキスト、動作ＩＤ、動作パラメータ）を編集する第３編集処理の一例である。
【００９３】
一例として、端末プログラム６５は、テキストボックス１６１に表示されたアイコンテキストを変更するユーザ操作を、入力Ｉ／Ｆ５４を通じて受け付ける（Ｓ８１：Ｙｅｓ）。アイコンテキストを変更するユーザ操作は、アイコン画面上で特定アイコンに対応付けて表示される文字列の変更を指示する編集操作の一例である。これにより、端末プログラム６５は、変更されたアイコンテキストを示すテキストデータを、動作アイコン１５１に対応するアイコンレコードにセットする（Ｓ８３）。
【００９４】
そして、端末プログラム６５は、Ｓ８３で編集した画面指示データに基づいて、Ｓ１２〜Ｓ１４の処理を実行する。その結果、図９でツリー領域１３３、プレビュー領域１３４、及び詳細領域１３５に表示されているテキストアイコン“スキャンＰＣ”が、Ｓ８１でユーザが変更したアイコンテキストに置換される。
【００９５】
他の例として、端末プログラム６５は、［変更］ボタン１６２に対する左クリック操作を入力Ｉ／Ｆ５４を通じて受け付けたことに応じて（Ｓ８２：動作）、動作登録処理を実行する（Ｓ８４）。［変更］ボタン１６２に対する左クリック操作は、動作アイコン１５１に対応付けられた動作の変更を指示する編集操作の一例である。そして、端末プログラム６５は、Ｓ８４で編集した画面指示データに基づいて、Ｓ１２〜Ｓ１４の処理を実行する。その結果、図９で詳細領域１３５に表示されている動作情報が、Ｓ８４でユーザが変更した動作情報に置換される。
【００９６】
さらに他の例として、端末プログラム６５は、［変更］ボタン１６３に対する左クリック操作を、入力Ｉ／Ｆ５４を通じて受け付ける（Ｓ８２：画像）。［変更］ボタン１６３に対する左クリック操作は、動作アイコン１５１の図柄の変更を指示する編集操作の一例である。これにより、端末プログラム６５は、複数の画像アイコンを含む画像選択画面をディスプレイ５３に表示させ（Ｓ８５）、複数の画像アイコンの１つに対する左クリック操作を入力Ｉ／Ｆ５４を通じて受け付ける（Ｓ８６）。
【００９７】
次に、端末プログラム６５は、Ｓ８６で特定された画像アイコンに対応付けられた画像データをアイコンサイズに拡大あるいは縮小して、アイコン画像データを生成する。そして、端末プログラム６５は、動作アイコン１５１に対応するアイコンレコードに、生成したアイコン画像データをセットする（Ｓ８７）。さらに、端末プログラム６５は、Ｓ８７で編集した画面指示データに基づいて、Ｓ１２〜Ｓ１４の処理を実行する。その結果、プレビュー領域１３４には、Ｓ８６で特定された画像データで示される図柄に置換された動作アイコン１５１が表示される。
【００９８】
次に、端末プログラム６５は、図１２に示される［送信］ボタン１３２に対する左クリック操作を入力Ｉ／Ｆ５４を通じて受け付けたことに応じて（Ｓ１７：Ｙｅｓ）、編集した画面指示データ（以下、「カスタム画面データ」と表記することがある。）を、直接的或いは間接的に特定装置に出力する（Ｓ２１）。Ｓ２１の処理は、出力処理及び送信処理の一例である。また図示は省略するが、端末プログラム６５は、図１２に示される［保存］ボタン１３１に対する左クリック操作を入力Ｉ／Ｆ５４を通じて受け付けたことに応じて、編集した画面指示データをメモリ６２或いは不図示のサーバに記憶させる。
【００９９】
直接的に出力する例として、端末プログラム６５は、通信Ｉ／Ｆ５５を通じて特定装置にカスタム画面データを送信してもよい。間接的に出力する例として、端末プログラム６５は、カスタム画面データが記憶されたメモリ領域の先頭アドレスを示すポインタを、情報処理端末５０にインストールされた不図示の出力プログラムに通知してもよい。そして、出力プログラムは、端末プログラム６５から通知されたポインタで示されるメモリ領域からカスタム画面データを読み出し、読み出したカスタム画面データを通信Ｉ／Ｆ５５を通じて特定装置に送信してもよい。
【０１００】
一方図示は省略するが、特定装置であるＭＦＰ１０の装置プログラム３５は、通信Ｉ／Ｆ２５を通じて情報処理端末５０からカスタム画面データを受信する。この処理は、受信処理の一例である。そして、装置プログラム３５は、受信したカスタム画面データを、標準画面データとは別にメモリ３２に記憶させる。また、装置プログラム３５は、例えば、ＭＦＰ１０の電源が投入されたことに応じて、図１３に示されるアイコン画面をディスプレイ２３に表示させる。この処理は、第２表示処理の一例である。そして、装置プログラム３５は、アイコン画面に対するユーザ操作を、入力Ｉ／Ｆ２４を通じて受け付ける。この処理は、第２受付処理の一例である。
【０１０１】
より詳細には、装置プログラム３５は、カスタム画面データがメモリ３２に記憶されているか否かを判断する。装置プログラム３５は、カスタム画面データがメモリ３２に記憶されていないと判断したことに応じて、図２に示される標準画面データをメモリ３２から読み出し、当該標準画面データに従ってアイコン画面をディスプレイ２３に表示させる。一方、装置プログラム３５は、カスタム画面データがメモリ３２に記憶されていると判断したことに応じて、カスタム画面データをメモリ３２から読み出し、当該カスタム画面データに従って図１３に示されるアイコン画面をディスプレイ２３に表示させる。
【０１０２】
図１３（Ａ）は、ページＩＤ“ページ０１”を含むページレコードに対応するページである。図１３（Ａ）に示されるページは、ページＩＤ“ページ０１”を含むアイコンレコードに対応する動作アイコン１５１、１５２、１５４と、スクロールアイコン１７４とを含む。図１３（Ｂ）は、ページＩＤ“ページ０２”を含むページレコードに対応するページである。図１３（Ｂ）に示されるページは、ページＩＤ“ページ０２”を含むアイコンレコードに対応する動作アイコン１７１、１７２と、スクロールアイコン１７３、１７４とを含む。また、アイコン画面を構成する全てのページは、設定ボタン１７５と、お知らせ表示領域１７６と、［スタート］ボタン１７７とを含む。
【０１０３】
スクロールアイコン１７３は、ディスプレイ２３に表示させるページを、現在のページから直前のページに切り替える指示に対応する。スクロールアイコン１７４は、ディスプレイ２３に表示させるページを、現在のページから直後のページに切り替える指示に対応する。設定ボタン１７５は、ＭＦＰ１０の設定を変更する指示に対応する。お知らせ表示領域１７６は、不図示のサーバ等から受信したユーザに報知すべき情報を表示させるための領域である。［スタート］ボタン１７７は、選択した動作アイコンに対応付けられた動作を、ＭＦＰ１０に実行させる指示に対応する。
【０１０４】
一例として、装置プログラム３５は、図１３（Ａ）に示されるスクロールアイコン１７４の位置をタップするユーザ操作を入力Ｉ／Ｆ５４を通じて受け付けたことに応じて、ディスプレイ２３に表示させるページを図１３（Ａ）から図１３（Ｂ）に切り替える。他の例として、装置プログラム３５は、図１３（Ｂ）に示されるスクロールアイコン１７３の位置をタップするユーザ操作を入力Ｉ／Ｆ５４を通じて受け付けたことに応じて、ディスプレイ２３に表示させるページを図１３（Ｂ）から図１３（Ａ）に切り替える。スクロールアイコン１７３、１７４のタップは、スクロール指示の一例である。ディスプレイ２３に表示させるページを図１３（Ａ）及び図１３（Ｂ）の一方から他方に切り替える処理は、切替処理の一例である。
【０１０５】
さらに他の例として、装置プログラム３５は、動作アイコン１５１の位置のタップと、［スタート］ボタン１７７の位置のタップとを入力Ｉ／Ｆ２４を通じて受け付けたことに応じて、動作アイコン１５１に対応するアイコンレコードを画面指示データから読み出す。そして、装置プログラム３５は、読み出したアイコンレコードの動作ＩＤで示される動作を、動作パラメータで示される実行条件に従って実行する。この処理は、実行処理の一例である。
【０１０６】
［本実施形態の作用効果］
上記の実施形態によれば、アイコン画面を構成するページ及び動作アイコンの並び順、特定ページのレイアウト、及び特定アイコンに関連付けられた情報を、カスタマイズ画面１３０を通じて一度に表示することができる。また、各領域１３４、１３５、１３６に対する編集操作に従って画面指示データが適切に編集される。すなわち、ユーザは、ＭＦＰ１０が表示させ得る複数のページを多角的に把握したうえで、各ページをカスタマイズすることができる。
【０１０７】
より詳細には、ページテキスト或いはアイコンテキストに対するドラッグ操作によって、ページの並び替え、アイコン画面に含まれる動作アイコンの並び替え、アイコン画面間における動作アイコンの移動を、直感的なユーザ操作によって実現できる。また、特定ページの位置づけをツリー領域１３３を通じて把握した上で、プレビュー領域１３４に対する編集操作によって特定ページのレイアウトをカスタマイズできる。さらに、特定アイコンの位置づけをプレビュー領域１３４を通じて把握した上で、詳細領域１３５に対する編集操作によって特定アイコンに関連付けられた情報をカスタマイズできる。
【０１０８】
さらに、上記の実施形態によれば、ページテキスト、アイコンテキスト、ページタブ、及び動作アイコンに対する左クリック操作によって、特定ページＩＤ及び特定アイコンＩＤを変更することができる。すなわち、ツリー領域１３３或いはプレビュー領域１３４に対する直感的な操作によって、プレビュー領域１３４及び詳細領域１３５の表示内容を切り替えることができる。これにより、ユーザは、ＭＦＰ１０が表示させ得る複数のページをさらに多角的に把握することができる。
【０１０９】
なお、上記の実施形態では、ＭＦＰ１０の電源が投入された際に最初に表示される所謂トップ画面をカスタマイズする例を説明したが、カスタマイズ可能な画面はトップ画面に限定されず、ＭＦＰ１０のディスプレイ２３に表示される任意の画面がカスタマイズされてもよい。なお、「最初に表示される画面」には、例えば、メーカのロゴを表示する所謂スプラッシュ画面、或いは規約への同意を求める画面等は含まれないものとする。
【０１１０】
また、上記の実施形態に係るページレコードは、スクロール操作によって切替可能な複数のページの１つに対応付けられている。換言すれば、ページレコードは、ディスプレイ５３に表示領域サイズより大きいアイコン画面の一部に対応付けられている。但し、ページレコードに対応付けられた画面は、前述の例に限定されない。すなわち、複数のページレコードは、各々が独立した画面に対応付けられていてもよい。
【０１１１】
また、上記の実施形態のＭＦＰ１０及び情報処理端末５０において、メモリ３２、６２に記憶された各種プログラムがＣＰＵ３１、６１によって実行されることによって、本発明のコントローラが実行する各処理が実現される例を説明した。しかしながら、コントローラの構成はこれに限定されず、その一部又は全部を集積回路等のハードウェアで実現してもよい。
【０１１２】
さらに、本発明は、ＭＦＰ１０及び情報処理端末５０として実現できるだけでなく、ＭＦＰ１０及び情報処理端末５０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワークを通じてＭＦＰ１０及び情報処理端末５０に接続可能なサーバに搭載された記憶部を含んでもよい。そして、サーバの記憶部に記憶されたプログラムは、当該プログラムを示す情報或いは信号として、インターネット等の通信ネットワークを通じて配信されてもよい。
【符号の説明】
【０１１３】
１０・・・ＭＦＰ
１１・・・プリンタ
２３，５３・・・ディスプレイ
２４，５４・・・入力Ｉ／Ｆ
２５，５５・・・通信Ｉ／Ｆ
３１，６１・・・ＣＰＵ
３２，６２・・・メモリ
３４，６４・・・ＯＳ
３５・・・装置プログラム
５０・・・情報処理端末
６５・・・端末プログラム
６６・・・一覧プログラム
【図１】
2018077692.tif 000003
【図２】
2018077692.tif 000004
【図３】
2018077692.tif 000005
【図４】
2018077692.tif 000006
【図５】
2018077692.tif 000007
【図６】
2018077692.tif 000008
【図７】
2018077692.tif 000009
【図８】
2018077692.tif 000010
【図９】
2018077692.tif 000011
【図１０】
2018077692.tif 000012
【図１１】
2018077692.tif 000013
【図１２】
2018077692.tif 000014
【図１３】
2018077692.tif 000015